(57)【要約】【課題】雨水を利用して植物の生育に必要な給水を行える省エネタイプの自動潅水システムを実現する。【解決手段】底部に排水孔が設けられた植物栽培容器２を収納する上方に開口した有底の樋状ボックス３と、樋状ボックス３の内部に雨水を供給する雨水供給部５と、樋状ボックス３内部の一定量以上の雨水を外部に排水する雨水排水部６とを備える。雨水排水部６の開口面６ａのレベルＨ１を樋状ボックス３内部に収納される植物栽培容器２の排水孔のレベルＨ２よりも高くなるように配置すると共に樋状ボックス３内部の底面３ａから雨水排水部６の開口面６ａまでの部分を雨水溜め部７とした雨水利用型植物栽培装置１である。【選択図】図１
2010246462.tif 000002
【特許請求の範囲】
【請求項１】
底部に排水孔が設けられた植物栽培容器を収納する上方に開口した有底の樋状ボックスと、樋状ボックスの内部に雨水を供給する雨水供給部と、樋状ボックス内部の一定量以上の雨水を外部に排水する雨水排水部とを備え、上記雨水排水部の開口面のレベルを上記樋状ボックス内部に収納される植物栽培容器の排水孔のレベルよりも高くなるように配置すると共に、樋状ボックス内部の底面から雨水排水部の開口面までの部分を雨水溜め部としたことを特徴とする雨水利用型植物栽培装置。
【請求項２】
上記樋状ボックスが上下多段に配置され、上段の樋状ボックスの雨水排水部の下流側開口部が下段の樋状ボックスへの雨水供給部を兼ねるように樋状ボックス相互間に雨水排水部を配置したことを特徴とする請求項１記載の雨水利用型植物栽培装置。
【請求項３】
最上段の樋状ボックスの雨水供給部と、樋状ボックス相互間の雨水排水部と、最下段の樋状ボックスの雨水排水部とを、正面視で上下方向に一直線上に連続するような外観形状としたことを特徴とする請求項２記載の雨水利用型植物栽培装置。
【請求項４】
上記樋状ボックスを建物の外壁に沿って配置すると共に、樋状ボックスの外側部分を建物側に取り付けられる外装部材にて覆ったことを特徴とする請求項１乃至３のいずれか一項に記載の雨水利用型植物栽培装置。
【請求項５】
上記建物の外壁と外装部材との間に吊り下げられる吊具に、樋状ボックスを着脱自在に載置する受け部を設けたことを特徴とする請求項４記載の雨水利用型植物栽培装置。
【請求項６】
上記雨水供給部から供給される雨水中の不純物を除去する濾過器を備えることを特徴とする請求項１乃至５のいずれか一項に記載の雨水利用型植物栽培装置。
【発明の詳細な説明】
【技術分野】
【０００１】
本発明は、雨水を利用して植物栽培を行う雨水利用型植物栽培装置に関するものである。
【背景技術】
【０００２】
従来、家庭の庭やベランダ、軒下等の場所で、植物を栽培する場合、水道水から得た上水を散布しており、このため、経済性及び生活環境の観点から好ましくない。
【０００３】
一方、建物の屋上を緑化するために、タンクに溜めた雨水を屋上に敷き詰めた栽培に適した土壌に供給する屋上緑化装置が知られている（例えば、特許文献１参照）。
【先行技術文献】
【特許文献】
【０００４】
【特許文献１】特開平８−２７８９１１号公報
【発明の概要】
【発明が解決しようとする課題】
【０００５】
ところが、上記特許文献１に開示されている屋上緑化装置を、家庭の庭に設置した植木鉢への給水に利用する場合は、タンクに溜めた雨水を植木鉢内部に供給するための配管設備が別途必要となり、そのうえ植物の根腐れや生育に悪影響を及ぼさないように、タンクからの給水量を制御する必要が生じるなど、省エネ化が図れないという課題もある。
【０００６】
本発明は上記の従来の問題点に鑑みて発明したものであって、雨水を利用して植物の生育に必要な給水を行うことができる省エネタイプの自動潅水システムを実現でき、経済性及び生活環境をより改善できる雨水利用型植物栽培装置を提供することにある。
【課題を解決するための手段】
【０００７】
前記の課題を解決するために、本発明は、底部に排水孔が設けられた植物栽培容器２を収納する上方に開口した有底の樋状ボックス３と、樋状ボックス３の内部に雨水を供給する雨水供給部５と、樋状ボックス３内部の一定量以上の雨水を外部に排水する雨水排水部６とを備える。上記雨水排水部６の開口面６ａのレベルＨ１を上記樋状ボックス３内部に収納される植物栽培容器２の排水孔のレベルＨ２よりも高くなるように配置する。樋状ボックス３内部の底面３ａから雨水排水部６の開口面６ａまでの部分を雨水溜め部７としたことを特徴としている。
【０００８】
このような構成とすることで、雨水供給部５から供給される雨水が樋状ボックス３内部の雨水溜め部７に流れ込み、この雨水溜め部７に浸漬される植物栽培容器２の排水孔から雨水が吸い上げられて植物に給水される一方で、過剰の雨水は雨水排水部６の開口面６ａからオーバーフロー排水されるので、植物の根腐りの心配もなく、植物の成長を促すことができる。
【０００９】
また、上記樋状ボックス３が上下多段に配置され、上段の樋状ボックス３の雨水排水部６の下流側開口部６ｅが下段の樋状ボックス３への雨水供給部５を兼ねるように樋状ボックス３相互間に雨水排水部６を配置するのが好ましく、この場合、各樋状ボックス３にそれぞれ雨水供給部５を設ける必要がなく構造を簡略化できる。
【００１０】
また、最上段の樋状ボックス３の雨水供給部５と、樋状ボックス３相互間の雨水排水部６と、最下段の樋状ボックス３の雨水排水部６とを、正面視で上下方向に一直線上に連続するような外観形状とするのが好ましく、この場合、各樋状ボックス３に対する給水及び排水構造をすっきりとした外観にすることができる。
【００１１】
また、上記樋状ボックス３を建物の外壁８に沿って配置すると共に、樋状ボックス３の外側部分を建物側に取り付けられる外装部材９にて覆うのが好ましく、この場合、外装部材９によって各樋状ボックス３を建物の外壁８に沿って違和感なく設置可能となる。
【００１２】
また、上記建物の外壁８と外装部材９との間に吊り下げられる吊具４に、樋状ボックス３を着脱自在に載置する受け部４ａを設けるのが好ましく、この場合、樋状ボックス３とその吊具４の両方を外装部材９にて隠蔽可能となる。
【００１３】
また、上記雨水供給部５から供給される雨水中の不純物を除去する濾過器１０を備えるのが好ましく、この場合、雨水中に含まれるゴミや塵、汚染物質等の不純物を除去することで、雨水を植物灌水に適した浄水とすることができると共に雨水供給部５の詰まりを防止できるようになる。
【発明の効果】
【００１４】
本発明は、天然に降る雨水を有効活用して植物栽培を行うことができる省エネタイプの自動潅水システムを実現できるものである。
【図面の簡単な説明】
【００１５】
【図１】本発明の一実施形態の雨水利用型植物栽培装置を示し、図２のＡ−Ａ線に沿う側面断面図である。
【図２】同上の雨水利用型植物栽培装置の正面図である。
【図３】同上の樋状ボックスを上下多段に配置する実施形態において、各樋状ボックスに対する雨樋からの雨水の供給、排水の流れを説明する正面図である。
【図４】同上の樋状ボックスを上下多段に配置する実施形態において、樋状ボックス相互間に配置される雨水排水部を、正面方向から見て、樋状ボックスの雨樋に近い一端と雨樋から遠い他端とに交互にジグザグ状に配置した状態を説明する正面図である。
【図５】（ａ）は同上の樋状ボックスの上面開口部を板状のカバー部材で閉塞した状態の斜視図であり、（ｂ）はカバー部材の平面図、（ｃ）は側面図である。
【図６】同上の樋状ボックスの底面に、底上げ用支持台を設置して植物栽培容器の高さを均一に揃える場合の説明図である。
【発明を実施するための形態】
【００１６】
以下、本発明を添付図面に示す実施形態に基いて説明する。
【００１７】
図１は本実施形態の雨水利用型植物栽培装置１の側面断面図であり、図２は正面図である。雨水利用型植物栽培装置１は、植物栽培容器２を収納する上下多段に配置される樋状ボックス３と、樋状ボックス３の内部に雨水を供給する雨水供給部５と、樋状ボックス３内部の一定量以上の雨水を外部に排水する雨水排水部６と、樋状ボックス３内部の底面３ａから雨水排水部６の開口面６ａに至る範囲で雨水を溜める雨水溜め部７とを備えている。
【００１８】
上記植物栽培容器２は、底部に排水孔（図示せず）が設けられた植木鉢、育苗ポット、プランターなどの各種容器類で構成される。なお排水孔は植物栽培容器の底上げされた部分に設けられてもよい。
【００１９】
上記植物栽培容器２を収納する樋状ボックス３は防水性材料からなり、上方に開口した有底箱状に形成されている。本例の樋状ボックス３は、正面から見て横長状に長く形成されている。樋状ボックス３には、雨樋１１からの雨水を供給する樋状の雨水供給部５と、一定量以上の雨水を樋状ボックス３外部に排水する雨水排水部６とが設けられている。
【００２０】
本例の雨水排水部６は、樋状ボックス３の底板３ｃに設けた排水口部３ｄに取り付けられる上流排水管部６Ａと、上流排水管部６Ａの下部に排水継手６Ｂを介して接続される下流排水管部６Ｃとで構成されている。
【００２１】
上流排水管部６Ａの外周部に突設したフランジ部６ｂを、排水口部３ｄの外周上面に係止させることで、上流排水管部６Ａの上端の開口面６ａのレベルＨ１が樋状ボックス３内部に収納される植物栽培容器２の排水孔のレベルＨ２よりも高くなるように保持されている。これにより、樋状ボックス３の全長にわたってその内部の底面３ａから上流排水管部６Ａの開口面６ａまでの部分が雨水を溜める雨水溜め部７となり、植物栽培容器２の排水孔が確実に雨水溜め部７に浸漬する構造となっている。
【００２２】
また上流排水管部６Ａの開口面６ａの上方には直入防止傘部材１２が取り付けられている。本例では、上流排水管部６Ａの開口面６ａを囲む外周縁の複数箇所から、上方に向けてアーチ状に立設された複数本のリブ６ｃの頂部に直入防止傘部材１２が取り付けられており、雨水供給部５から流れ落ちる雨水が上流排水管部６Ａの開口面６ａに直接流入するのを防ぎつつ、雨水を雨水溜め部７に導く働きをする。リブ６ｃ間の隙間が排水用隙間となっている。
【００２３】
上記上流排水管部６Ａのフランジ部６ｂよりも下側の外周面には、排水継手６Ｂが螺合しており、上流排水管部６Ａのフランジ部６ｂと排水継手６Ｂのツバ部６ｄとの間で樋状ボックス３の底板３ｃを挟持しており、これにより雨水排水部６は樋状ボックス３の排水口部３ｄに対して水密的に取り付けられている。
【００２４】
上記排水継手６Ｂには下流排水管部６Ｃが接続されており、この下流排水管部６Ｃが下段の樋状ボックス３への雨水供給部５を兼ねている。
【００２５】
上記樋状ボックス３は、図１に示す建物の外壁８と外装部材９との間に吊り下げ支持される吊具４に設けた受け部４ａに着脱自在に載置されている。
【００２６】
本例の外装部材９は、樋状ボックス３の外側部分を覆うように建物側に取り付けられており、例えば天然木或いはこれに近似した木質調の外観を有する耐久性及び耐候性に優れた素材が用いられる。この外装部材９は、樋状ボックス３及び吊具４の外側方を覆う縦材９ａと、樋状ボックス３及び吊具４の下面側を覆う下横材９ｂとで構成されている。縦材９ａと下横材９ｂとのなす下隅部には、間接光による演出を行うためのＬＥＤ光源１５が配設されている。
【００２７】
本例の吊具４は、樋状ボックス３を載置可能な側面視略Ｕ字形の受け部４ａを備え、受け部４ａの一端が側面視逆Ｕ字状に折り曲げられて、その先端に設けた固定プレート１６が建物の外壁８に対してビス１７で固定されている。受け部４ａの他端は側面視Ｌ字状に折り曲げられて、その上端の固定片１９が外装部材９の内面に対してビス１８で固定されている。さらに受け部４ａの中央部分は外装部材９の下横材９ｂに対してビス固定されている。受け部４ａの内寸法は下から上に行く程外側に広がるように傾斜しており、樋状ボックス３の着脱が容易となっている。
【００２８】
しかして、上記構成によれば、天然に降る雨水が雨樋１１から上段の樋状ボックス３内部の雨水溜め部７に供給されると同時に、過剰の雨水は雨水排水部６の開口面６ａからオーバーフロー排水されて雨水排水部６の下流側開口部６ｅから下段の樋状ボックス３に供給される。これによりすべての樋状ボックス３内の雨水溜め部７に雨水が溜められていき、それぞれの雨水溜め部７に浸漬された植物栽培容器２の底面の排水孔から雨水が吸い上げられて植物の生育が促進される一方で、雨水溜め部７の雨水は一定量以下に保たれるので根腐りの心配がない。しかも直入防止傘部材１２の存在によって、雨水供給部５から流れ落ちる雨水が直接、雨水排水部６から排水されてしまうことがなく、従って、雨水溜め部７には常に一定量の雨水を溜めることができる。結果、雨水の自然落下であるのでポンプ等の動力を必要とせず、しかも普段は雨樋１１から流れて捨てられている雨水を有効活用して植物栽培を省エネルギーで行うことができる。
【００２９】
また建物側に取り付けられる外装部材９によって樋状ボックス３の外側面が覆われているので、樋状ボックス３を建物の外壁８に沿って外観上違和感なく、しかも省スペースで設置できるようになり、しかも、建物の外壁８と外装部材９との間に吊り下げられる吊具４の受け部４ａに樋状ボックス３を着脱自在に載置することで、樋状ボックス３とその吊具４の両方を外装部材９にて隠蔽できる外観となる。さらに、上段の樋状ボックス３の雨水排水部６の下流側開口部６ｅが下段の樋状ボックス３への雨水供給部５を兼ねることで、各樋状ボックス３にそれぞれ雨水供給部５を設ける必要がなく、構造を簡略化できる利点もある。
【００３０】
また図２に示すように、雨樋１１と、上段の樋状ボックス３の雨水供給部５と、下段の樋状ボックス３の雨水排水部６とを、正面視で上下方向に一直線上に連続するような外観形状とすることが可能となり、意匠性を向上させることができる。
【００３１】
さらに本例では、図１に示すように、樋状ボックス３の上面開口部３ｂの内側に、植物栽培容器２に上方から嵌め込まれる嵌め込み穴２１を有する板状のカバー部材２０が着脱自在に覆設されている。ここで図５（ａ）はカバー部材２０を取り付けた樋状ボックス３の外観斜視図であり、図５（ｂ）はカバー部材２０の平面図、（ｃ）は側面図である。このカバー部材２０は、樋状ボックス３の上面開口部３ｂをその全長にわたって覆う大きさを有すると共に、カバー部材２０の前後方向の両端の下方への折曲片２２がそれぞれ樋状ボックス３の両側の耳部３ｅに係止されることで、植物栽培容器２の上縁部が嵌まり込む高さに保持されている。カバー部材２０によって外部から樋状ボックス３や吊具４が隠蔽される。
【００３２】
ところで複数の植物栽培容器２の高さが不均等の場合は、図６示す底上げ用支持台２５を用いて植物栽培容器２の高さを均一に揃えるのが望ましい。
【００３３】
前記樋状ボックス３の底板３ｃに雨水排水部６を取り付けた構造の他の実施形態を図３に示す。図３では、樋状ボックス３の雨樋１１側の側板３ｆに横方向に貫通するように雨水排水部６を取り付けて、給水及びオーバーフロー排水をそれぞれ横方向から行うようにしている。他の構成は前記図１、図２の実施形態と同様である。本例の雨水供給部５は、雨水の一部を雨樋１１から分配する分配器３０に一端が接続され、他端が最上段の樋状ボックス３内部に挿入される分岐樋３１で構成されている。また本例では、樋状ボックス３相互間にそれぞれ配置される雨水排水部６の下流排水管部６Ｃが雨水供給部５を兼ねている。さらに最下段の樋状ボックス３の雨水排水部６の下流排水管部６Ｃは、雨樋１１の集水器３３に合流接続されている。これにより、前記実施形態の効果に加えて、雨樋１１からの雨水の一部を分配器３０で分配して樋状ボックス３内に供給することで、仮りに雨量が多い場合でも樋状ボックス３内に多量の雨水が流れ込む心配がないものであり、しかも、本例では樋状ボックス３における雨樋１１に近い端部に寄せて、雨水供給部５と雨水排水部６とをまとめて配置しているため、雨樋１１に対する雨水供給部５及び雨水排水部６の配管長を短くできる利点がある。
【００３４】
図４は、図３の変形例であり、樋状ボックス３相互間に配置される雨水排水部６を、正面方向から見て、樋状ボックス３の雨樋１１に近い側板３ｆ側と、雨樋１１から遠い側板３ｇ側とに交互にジグザグ状に配置したものである。他の構成は図３と同様である。本例では各樋状ボックス３の雨樋１１から遠い側板３ｇ側はそれぞれオーバーフロー排水の受け渡しを行う構成となり、各樋状ボックス３内部の雨水溜め部７に雨水が確実に行き渡るようになり、そのうえ受け渡し側の雨水排水部６と雨樋１１側の雨水排水部６とを別々に配置した場合でも、側面から各樋状ボックス３を見た場合に、受け渡し側の雨水排水部６と雨樋１１側の雨水排水部６とが重なるように配置することにより、外観が損なわれないようにすることができる。
【００３５】
他の実施形態として、前記図３、図４に示す分配器３０内部に、フィルター等の濾過器１０を設けるのが望ましい。濾過器１０は雨水中に含まれるゴミや塵、汚染物質等の不純物を除去することで、雨水を植物灌水に適した浄水とすることができるものであり、またゴミ等による分岐樋３１の詰まりを防止可能となる。
【００３６】
なお、前記実施形態では、雨樋１１からの雨水を、直接或いは分岐樋３１を介して、最上段の樋状ボックス３内に供給する場合を説明したが、例えば、雨樋１１からの雨水を一旦タンクに集め、タンクからポンプで樋状ボックス３に送水する構成とすることも可能である。
【００３７】
前記実施形態では、樋状ボックス３を上下多段に配置したが、これに限らず、樋状ボックス３の数は１つでもよい。
【００３８】
本発明の雨水利用型植物栽培装置１は、建物外壁に沿って設置する場合に限らず、雨樋１１から分岐した分岐樋（雨水供給部）を延ばして、家庭の庭や、ベランダ、軒下など適宜箇所に雨水供給を行うことが可能である。また住宅以外に、オフィス、公共施設等、雨樋１１が設置される建物にも広く使用できるものである。
【符号の説明】
【００３９】
１  雨水利用型植物栽培装置
２  植物栽培容器
３  樋状ボックス
３ａ  底面
３ｂ  上面開口部
４  吊具
４ａ  受け部
５  雨水供給部
６  雨水排水部
６ａ  開口面
６ｅ  下流側開口部
７  雨水溜め部
８  外壁
９  外装部材
１０  濾過器
１１  雨樋
【図１】
2010246462.tif 000003
【図２】
2010246462.tif 000004
【図３】
2010246462.tif 000005
【図４】
2010246462.tif 000006
【図５】
2010246462.tif 000007
【図６】
2010246462.tif 000008